(57)【要約】【課題】セグメントその他の各種建設資材にＩＣタグを簡単かつ確実に、しかも取り替え可能に取り付けることのできるＩＣタグ装着用キャップを提供する。【解決手段】ＩＣタグ装着用キャップ１は、グラウトキャップ４のつまみ部４３の先端面４３１に対応する形状に形成され、内面にＩＣタグ５を保持可能な凹状部２０を有する被着部２と、この被着部２の周囲から、つまみ部４３の外周面４３２に対して圧接可能に延び、当該外周面４３２に対して摩擦係合可能な手段３１を有する固定部３とを備え、被着部２の凹状部２０内にＩＣタグ５を保持し、つまみ部４３に被せ付けるようにした。【選択図】図２
2011084885.tif 000002
【特許請求の範囲】
【請求項１】
コンクリート製品を含む各種建設資材に備える凸形形状部又は当該建設資材に形成する凸形形状部を利用して当該建設資材にＩＣタグを装着するＩＣタグ装着用キャップであって、
前記凸形形状部の先端面に対応する任意の形状からなり、当該先端面に対向する内面にＩＣタグを包囲保持可能な凹状部を有する被着部と、
前記被着部の周囲から前記凸形形状部の外周面を少なくとも相互に対向する２方向から圧接可能に当該外周面に向けて延び、当該外周面に対して摩擦係合可能な手段を有する固定部と、
を備え、
前記被着部内面の凹状部にＩＣタグを嵌合保持して、前記凸形形状部に外側から被せ付ける、
ことを特徴とするＩＣタグ装着用キャップ。
【請求項２】
シールド工事その他グラウトを伴う各種の建設工事においてグラウト注入孔を塞ぐグラウトキャップの回転操作用のつまみ部を利用してＩＣタグを装着するＩＣタグ装着用キャップであって、
前記つまみ部の先端面に対応する任意の形状からなり、当該先端面に対向する内面にＩＣタグを包囲保持可能な凹状部を有する被着部と、
前記被着部の周囲から前記つまみ部の外周面を少なくとも相互に対向する２方向から圧接可能に当該外周面に向けて延び、当該外周面に対して摩擦係合可能な手段を有する固定部と、
を備え、
前記被着部内面の凹状部にＩＣタグを嵌合保持して、前記つまみ部に外側から被せ付ける、
ことを特徴とするＩＣタグ装着用キャップ。
【請求項３】
被着部の凹状部は当該被着部の内面にＩＣタグが嵌合可能な凹部により又はＩＣタグの外周縁を保持可能な枠により構成される請求項１又は２に記載のＩＣタグ装着用キャップ。
【請求項４】
被着部の凹状部の縁部に当該凹状部の内外を連通する溝が形成される請求項１乃至３のいずれかに記載のＩＣタグ装着用キャップ。
【請求項５】
摩擦係合可能な手段は、少なくとも固定部が凸形形状部又はグラウトキャップのつまみ部に対して摩擦力の大きい材料により形成され、前記固定部の内側に当該凸形形状部又は当該つまみ部の外周面に接触可能な突状部が一体に形成されて構成される請求項１乃至４のいずれかに記載のＩＣタグ装着用キャップ。
【発明の詳細な説明】
【技術分野】
【０００１】
本発明は、セグメントその他のコンクリート製品を含む各種建設資材の維持管理に使用するＩＣタグを各種建設資材に装着するためのＩＣタグ装着用キャップに関する。
【背景技術】
【０００２】
一般に、シールド工法によってトンネルを構築する場合、シールドマシンによって地下に掘削坑を形成しながら、この掘削坑内にセグメントを管状または函状に組み立てていく。セグメントを組み立てた後は、地盤沈下防止などの理由から、セグメントの外周面と掘削坑の壁面との間にセメントミルクやモルタル等の裏込め材を充填注入する。このため、セグメントには通常、厚み方向に、裏込め材を注入するためのグラウト注入孔が設けられる。そして、裏込め材を注入した後、グラウト注入孔にグラウトキャップをねじ締結して閉塞し、グラウト注入孔からの裏込め材の漏出を防止する。このグラウトキャップは通常、雄ネジを有する軸と、この軸の一端に一体的に形成される円形の頭部と、この頭部の先端中央に突出される略矩形の平面形状を有するつまみ部とを備え、頭部のつまみ部により軸を回転操作し、軸の雄ネジをグラウト注入孔の雌ネジに締め込むことによりグラウト注入孔に嵌め付けるようになっている。この種のセグメントは特許文献１などに記載されている。
【０００３】
ところで、コンクリート製品は、通常、発注者である管理者の発注に基づいて、製作者により必要な数量だけ製作され、据付者により所定の場所に据え付けられる。そして、その据え付け後は、管理者自らが、コンクリート製品の維持管理を行っている。したがって、個々のコンクリート製品に関して、製作者は自らの製作プロセスを管理してその情報を保有し、据付者は自らの据え付けプロセスを管理してその情報を保有し、管理者は工事全体の基本的な情報や据え付け後の維持管理に関する情報を保有する。このため、コンクリート製品は製作から据え付け後の維持管理に至るまでの各種情報が、製作者、据付者、管理者それぞれに分散され、例えば、据え付け直後に破損したコンクリート製品が発見された場合に、それが製作段階、据え付け段階、又は据え付け後のいずれの段階で破損したのか、あるいは、その製作プロセスや据え付けプロセスに問題がなかったか否かを確認するには、製作者、据付者、管理者それぞれに分散している情報を収集集約して取りまとめることにより必要な情報を得るという煩雑な作業が必要となる。なお、管理者の発注の下に一の施工者が一連の製作及び据え付けを一括して行う場合も同様で、施工者が自らの製作プロセス及び据え付けプロセスを管理してその情報を保有し、管理者は工事全体の基本的な情報や据え付け後の維持管理に関する情報を保有することになるので、コンクリート製品に構造上のトラブルが発生したときに、その原因を追究するには、同様に煩雑な作業が必要になる。そこで、近年、個々のコンクリート製品に関する各種の情報を統合しそのトレーサビリティーを確立して、個々のコンクリート製品に関する種々の情報を基礎資料として製作プロセスや据え付けプロセスの改善などを効率的に行い、また、個々のコンクリート製品ごとの高度な維持管理を効率的に行うため、ＩＣタグを用いたコンクリート製品統合管理システムが提案され、これが特許文献２に記載されている。
【０００４】
この文献２の管理システムは、複数のコンクリート製品についての、その個々のコンクリート製品ごとの製作プロセスに関する情報を格納する製作プロセスデータベースを有する製作者端末と、複数のコンクリート製品についての、その個々のコンクリート製品ごとの据え付けプロセスに関する情報を格納する据え付けプロセスデータベースを有する据付者端末と、複数のコンクリート製品についての、その個々のコンクリート製品ごとの据え付け後の維持管理に関する維持管理情報等を格納する管理データベースを有する管理者端末と、これら製作者端末、据付者端末、および管理者端末と接続されるとともに、これらの端末から送信される製作プロセスデータベース、据え付けプロセスデータベース、および管理者データベースのデータに基づいて作成され、各データベースの情報を一括して格納する統合データベースを有する統合管理サーバとを備えて構成される。そして、この管理システムでは、ＩＣタグが採用され、これがコンクリート製品に取り付けられる。なお、この場合、ＩＣタグは透明な防水ケースの中に収納され、これがコンクリート製品の所要の位置に埋設固定される。このように個々のコンクリート製品にＩＣタグを備えることで、このＩＣタグに、個々のコンクリート製品に関する工事基本情報を保持させることができ、また、個々のコンクリート製品に関する製作プロセス情報、据え付けプロセス情報、維持管理情報等を随時書き込むことができ、各種情報を必要に応じて読み出すことができる。そして、この管理システムにおいて、個々のコンクリート製品に関する各種情報を各端末を通じて統合データベースに蓄積することにより、これを必要に応じて読み出すことができる。このようにしてコンクリート製品のトレーサビリティーを確立して、個々のコンクリート製品に関する種々の情報を基礎資料として製作プロセスや据え付けプロセスの改善などを効率的に行うことができ、また、個々のコンクリート製品ごとの高度な維持管理を効率的に行うことができる。
【先行技術文献】
【特許文献】
【０００５】
【特許文献１】特開平９−６０４８９号公報
【特許文献２】特開２００６−２４３９１８公報
【発明の概要】
【発明が解決しようとする課題】
【０００６】
しかしながら、かかる管理システムを例えばシールドトンネルの維持管理などに採用しようとすると、シールドトンネルを構成する多数のセグメントにＩＣタグを取り付ける必要があり、セグメントの製作の段階で、個々のセグメントにＩＣタグを埋設固定しなければならないため、セグメントの製作が煩雑になり、コストが増大するという問題がある。
【０００７】
本発明は、このような従来の問題を解決するものであり、セグメントその他のコンクリート製品を含む各種建設資材の一部の部品や形状を利用して、各種建設資材にＩＣタグを簡単かつ確実に、しかも取り替え可能に取り付けることのできるＩＣタグ装着用キャップを提供すること、を目的とする。
【課題を解決するための手段】
【０００８】
上記目的を達成するために、本発明は、コンクリート製品を含む各種建設資材に備える凸形形状部又は当該建設資材に形成する凸形形状部を利用して当該建設資材にＩＣタグを装着するＩＣタグ装着用キャップであって、前記凸形形状部の先端面に対応する任意の形状からなり、当該先端面に対向する内面にＩＣタグを包囲保持可能な凹状部を有する被着部と、前記被着部の周囲から前記凸形形状部の外周面を少なくとも相互に対向する２方向から圧接可能に当該外周面に向けて延び、当該外周面に対して摩擦係合可能な手段を有する固定部とを備え、前記被着部内面の凹状部にＩＣタグを嵌合保持して、前記凸形形状部に外側から被せ付ける、ことを要旨とする。
この場合、ＩＣタグ装着用キャップは各部が次のように具体化される。
（１）被着部の凹状部は当該被着部の内面にＩＣタグが嵌合可能な凹部により又はＩＣタグの外周縁を保持可能な枠により構成される。
（２）被着部の凹状部の縁部に当該凹状部の内外を連通する溝が形成される。
（３）摩擦係合可能な手段は、少なくとも固定部が凸形形状部に対して摩擦力の大きい材料により形成され、前記固定部の内側に当該凸形形状部の外周面に接触可能な突状部が一体に形成されて構成される。
【０００９】
また、本発明は、シールド工事その他グラウトを伴う各種の建設工事においてグラウト注入孔を塞ぐグラウトキャップの回転操作用のつまみ部を利用してＩＣタグを装着するＩＣタグ装着用キャップであって、前記つまみ部の先端面に対応する任意の形状からなり、当該先端面に対向する内面にＩＣタグを包囲保持可能な凹状部を有する被着部と、前記被着部の周囲から前記つまみ部の外周面を少なくとも相互に対向する２方向から圧接可能に当該外周面に向けて延び、当該外周面に対して摩擦係合可能な手段を有する固定部と、を備え、前記被着部内面の凹状部にＩＣタグを嵌合保持して、前記つまみ部に外側から被せ付ける、ことを要旨とする。
この場合、ＩＣタグ装着用キャップは各部が次のように具体化される。
（１）被着部の凹状部は当該被着部の内面にＩＣタグが嵌合可能な凹部により又はＩＣタグの外周縁を保持可能な枠により構成される。
（２）被着部の凹状部の縁部に当該凹状部の内外を連通する溝が形成される。
（３）摩擦係合可能な手段は、少なくとも固定部がグラウトキャップのつまみ部に対して摩擦力の大きい材料により形成され、前記固定部の内側に当該つまみ部の外周面に接触可能な突状部が一体に形成されて構成される。
【発明の効果】
【００１０】
本発明のＩＣタグ装着用キャップは、上記の構成により、被着部内面の凹状部にＩＣタグを嵌合保持して、例えば、セグメントのグラウト注入孔に装着されるグラウトキャップのつまみ部など、コンクリート製品を含む各種建設資材に備えた凸形形状部又は各種建設資材に形成した凸形形状部に外側から被せ付けるので、セグメントその他のコンクリート製品を含む各種建設資材にＩＣタグを簡単かつ確実に、しかも取り替え可能に取り付けることができる、という顕著な効果を奏する。
【図面の簡単な説明】
【００１１】
【図１】本発明の一実施の形態におけるＩＣタグ装着用キャップによりＩＣタグをグラウトキャップのつまみ部に取り付けた状態を示す斜視図
【図２】同ＩＣタグ装着用キャップによりＩＣタグをグラウトキャップのつまみ部に取り付ける状態を示す斜視図
【図３】同ＩＣタグ装着用キャップの構成を示す内面側から見た斜視図
【図４】同ＩＣタグ装着用キャップの構成を示す内面側から見た平面図
【図５】同ＩＣタグ装着用キャップにＩＣタグを嵌合保持した状態を示す斜視図
【図６】本発明の他の実施の形態におけるＩＣタグ装着用キャップによりＩＣタグをグラウトキャップのつまみ部に取り付ける状態を示す斜視図
【図７】同ＩＣタグ装着用キャップの構成を示す内面側から見た斜視図
【発明を実施するための形態】
【００１２】
次に、この発明を実施するための形態について図を用いて説明する。図１乃至図５にセグメントその他のコンクリート製品の維持管理に使用するＩＣタグをセグメントその他のコンクリート製品に装着するためのＩＣタグ装着用キャップを示している。図１に示すように、ＩＣタグ装着用キャップ１は、セグメントその他のコンクリート製品の一部に備えるグラウトキャップのつまみ部その他の凸形形状部の先端面に対応する任意の形状を有し、当該先端面に被着される被着部２と、この被着部２から当該つまみ部その他の凸形形状部の外周面を少なくとも相互に対向する２方向から圧接可能に当該外周面に向けて延び、当該外周面に摩擦係合可能な固定部３とを一体に備えて構成される。
【００１３】
ここでＩＣタグ装着用キャップ１は、特に、シールドトンネルを構成するセグメントに使用するものとして形成され、セグメントに備えるグラウトキャップ４の回転操作用のつまみ部（凸形形状部）４３を利用してＩＣタグ５を装着するようになっている。なお、グラウトキャップ４は、雄ネジ４０を有する軸４１と、この軸４１の一端に一体的に形成される円形の頭部４２と、この頭部４２の先端に突出される略矩形の平面形状を有するつまみ部４３とを備え、頭部４２のつまみ部４３により軸４１を回転操作し、軸４１の雄ネジ４０をグラウト注入孔の雌ネジ（図示省略）に締め込むことによりグラウト注入孔に嵌め付けるようになっている。
【００１４】
図２及び図３に示すように、被着部２はつまみ部４３の先端面４３１に対応する略矩形の平面形状からなり、当該先端面４３１に対向する内面にＩＣタグ５を包囲保持可能な凹状部２０を有している。この場合、凹状部２０は円形のＩＣタグ５を包囲保持可能に円形の凹部により形成される。またこの場合、この凹状部２０の縁部に当該凹状部２０の内外を連通する溝２１が併せて形成される。
【００１５】
図２及び図３に示すように、固定部３は被着部２の周囲の４方向の各縁部から、被着部２の内面側へ略直角に、グラウトキャップ４のつまみ部４３の外周面４３２の４面に対して両側の相互に対向する２方向及び両端の相互に対向する２方向からそれぞれ圧接可能に当該外周面４３２の各面に向けて延び、その内面に当該外周面４３２の各面に対して摩擦係合可能な手段３１を有している。この場合、外周面４３２に対して摩擦係合可能な手段３１は、固定部３が被着部２と共にグラウトキャップ４のつまみ部４３に対して摩擦力の大きい材料、ここでは適宜のプラスチック材料により形成され、固定部３の内側にグラウトキャップ４のつまみ部４３の外周面４３２に接触可能な複数の突状部３１１、３１２が固定部３の延びる方向に延び、固定部３の幅方向に並列に一体形成されて構成される。なお、このＩＣタグ装着用キャップ１の場合、図４に示すように、グラウトキャップ４のつまみ部４３の外周面４３２に対して一方の相互に対向する２方向の各固定部３に他方の相互に対向する２方向の各固定部３よりも多くの突状部３１１、３１２が形成されて摩擦力が高められている。また、図３に示すように、各固定部３の共通の形状の突状部３１１の突出端は固定部３側に向けて緩やかな曲線形状になっている。
【００１６】
このようにしてＩＣタグ装着用キャップ１は、被着部２の内面の凹状部２０にＩＣタグ５が嵌合保持され、図２に示すように、グラウトキャップ４のつまみ部４３に外側から被せ付けるようになっている。この場合、図３に示すように、ＩＣタグ５を被着部２の内面の凹状部２０に合わせてこのＩＣタグ５を上から少し強く押し込むことで、図５に示すように、ＩＣタグ５は被着部２の凹状部２０内に固く嵌め込まれる。そして、図２に示すように、この被着部２の内面をグラウトキャップ４のつまみ部４３の先端面４３１に合わせ、４つの各固定部３をつまみ部４３の外周面４３２に合わせて、全体をつまみ部４３に向けて少し強く押し込みことにより、ＩＣタグ装着用キャップ１をつまみ部４３上に被せ付ければよい。このとき、ＩＣタグ装着用キャップ１の各固定部３の各突状部３１１が突出端の曲線形状の案内によりつまみ部４３の外周面４３２上に係合し、各突状部３１１全体がつまみ部４３の外周面４３２の各面に圧接されると、両者間の摩擦係合により、ＩＣタグ装着用キャップ１がつまみ部４３に固く固定される。これにより、図１に示すように、ＩＣタグ５をグラウトキャップ４（セグメント）に簡単かつ確実に装着することができる。また、このようにグラウトキャップ４（セグメント）にＩＣタグ５を取り付けた後、ＩＣタグ５を取り替える必要が生じたときは、ＩＣタグ装着用キャップ１をグラウトキャップ４のつまみ部４３から取り外し、被着部２の凹状部２０内のＩＣタグ５を取り替えればよい。この場合、つまみ部４３からＩＣタグ装着用キャップ１を少し強い力で引張れば、ＩＣタグ装着用キャップ１の各固定部３の各突状部３１１、３１２とつまみ部４３の外周面４３２の各面との摩擦係合が解除され、つまみ部４３からＩＣタグ装着用キャップ１を簡単に取り外すことができる。そして、被着部２の内面の凹状部２０内のＩＣタグ５の下に、凹状部２０縁部の溝２１を通じて、例えば細い棒材を差し込み、ＩＣタグ５を凹状部２０から引き起こすことで、ＩＣタグ５を簡単に取り外すことができる。ＩＣタグ５を取り外したら、新たなＩＣタグを既述のとおり被着部２の内面の凹状部２０に嵌め込み、同様にしてこのＩＣタグ装着用キャップ１をグラウトキャップ４のつまみ部４３に被せ付ければよい。
【００１７】
以上説明したように、このＩＣタグ装着用キャップ１によれば、セグメントに用いるグラウトキャップ４の略矩形状のつまみ部４３の先端面４３１に対応する略矩形の平面形状に形成され、当該先端面４３１に対向する内面にＩＣタグ５を包囲保持可能な凹状部２０を有する被着部２と、この被着部２の周囲に一体に形成され、つまみ部４３の外周面４３２に対して両側の相互に対向する２方向及び両端の相互に対向する２方向から圧接可能に当該外周面４３２に向けて延び、当該外周面４３２に対して摩擦係合可能な手段３１を有する固定部３とを備え、被着部２の内面の凹状部２０にＩＣタグ５を嵌合保持した状態で、グラウトキャップ４のつまみ部４３に外側から被せ付けるようにしたので、ＩＣタグ５をグラウトキャップ４（セグメント）に簡単かつ確実に取り付けることができ、また、このＩＣタグ装着用キャップ１をグラウトキャップ４（セグメント）から簡単に取り外して、ＩＣタグ５の取り替えを容易に行うことができる。
【００１８】
また、このＩＣタグ装着用キャップ１では、被着部２の凹状部２０が当該被着部２の内面にＩＣタグ５が嵌合可能な凹部により形成され、ＩＣタグ５をこの凹状部２０に合わせてこのＩＣタグ５を上から少し強く押し込むことで、ＩＣタグ５を凹状部２０内に簡単に固く嵌め込むことができる。さらに、この凹状部２０には縁部に当該凹状部２０の内外を連通する溝２１が形成されているので、この溝２１を通じて細い棒材を凹状部２０内のＩＣタグ５の下に差し込むことで、凹部２０内に固く嵌め込まれたＩＣタグ５を簡単に引き起こすことができ、凹状部２０から容易に取り外すことができる。
【００１９】
さらに、このＩＣタグ装着用キャップ１では、固定部３のつまみ部４３に対する摩擦係合可能な手段３１が、固定部３が被着部２と共につまみ部４３に対して摩擦力の大きい材料により形成され、固定部３の内側に当該つまみ部４３の外周面４３２に接触可能な複数の突状部３１１、３１２が一体に形成されて構成されるので、簡易な構造でありながら、ＩＣタグ装着用キャップ１とつまみ部４３とを確実に固定することができる。
【００２０】
なお、この実施の形態では、被着部２の凹状部２０は被着部２の内面にＩＣタグ５が嵌合可能な凹部により形成されているが、ＩＣタグ５の外周縁を保持可能な枠により形成されてもよい。このようにしても上記実施の形態と同様の作用効果を得ることができる。
【００２１】
また、この実施の形態では、固定部３のつまみ部４３に対して摩擦係合可能な手段３１は、固定部３が被着部２と共にグラウトキャップ４のつまみ部４３に対して摩擦力の大きい材料により形成され、固定部３の内側につまみ部４３の外周面４３２に接触可能な複数の突状部３１１、３１２が一体に形成されて構成されているが、少なくとも固定部３のみがつまみ部４３に対して摩擦力の大きい材料により形成され、固定部３の内側につまみ部４３の外周面４３２に接触可能な複数の突状部３１１、３１２が一体に形成されて構成されてもよい。このようにしても上記実施の形態と同様の作用効果を得ることができる。
【００２２】
さらに、この実施の形態では、ＩＣタグ装着用キャップ１が固定部３の突状部３１１、３１２とつまみ部４３の外周面４３２との摩擦係合のみにより固定されているが、この摩擦係合手段３１のほかに、又はこの摩擦係合手段３１に代えて、図６及び図７に示すように、固定部３（の内面、この場合、突状部３１２）又はつまみ部４３（の外周面４３２）のいずれか一方に係止凸起６が設けられ、他方に係止溝７又は係止穴が設けられて、固定部３とつまみ部４３が係止凸起６と係止溝７又は係止穴との係合により固定されるようにしてもよい。このようにしても上記実施の形態と同様の作用効果を得ることができる。なお、この場合、グラウトキャップ４側に多少の加工が必要となるため、その分だけコストが増加するが、ＩＣタグ装着用キャップ１とつまみ部４３とのより確実な固定状態が得られる利点がある。
【００２３】
また、この実施の形態では、コンクリート製品としてシールド工事に用いるセグメントが例示されているが、この種のセグメントには、鉄筋コンクリート（ＲＣ）セグメント（プレキャストセグメント）、鋼製セグメント、鋳鉄（ダクタイル）セグメント、合成セグメント（外面を鋼殻で覆い、その中にコンクリートを充填して一体化させたもの）の４種類があり、いずれのセグメントにおいても、トンネル裏込め材を注入するための孔が形成されて、そこにグラウトキャップが装着されるため、ＩＣタグ装着用キャップはいずれのセグメントにも同様に適用することができる。また、セグメントの他に、コンクリート製品という観点では、ＰＣ（プレストレスト・コンクリート）橋があり、このＰＣ橋の場合、鋼材を挿入する孔にグラウト注入することがあり、その孔の蓋としてグラウトキャップが用いられる。ＩＣタグ装着用キャップはこのようなＰＣ橋に使用されるグラウトキャップにも同様に適用することができる。さらに、グラウトキャップという観点では、トンネル（山岳・都市シールド）工事、ダム工事、地滑り対策工事などグラウトを伴う各種の工事にグラウトキャップが使用される。例えば、トンネル工事では、ロックボルトの定着、地山と覆工の隙間の充填に、ダム工事では、ダム本体や左右岩における漏水対策、遮水対策の目的で、地滑り対策工事では、杭の周囲と地盤、アンカーの周囲と地盤との密着に、グラウトが幅広く使用される。このような工事では、グラウト注入孔を塞ぐために、グラウトキャップが必ず装着される。ＩＣタグ装着用キャップはこのようなグラウトを伴う各種の工事においてグラウト注入孔を塞ぐグラウトキャップにも同様に適用することができる。
【００２４】
またさらに、この実施の形態では、ＩＣタグ装着用キャップがグラウトキャップの回転操作用のつまみ部を利用して取り付けられる形式として例示されているが、コンクリート製品を含む各種建設資材に例えばグラウトキャップのつまみ部に代わる凸形形状部を備えていれば、又はこのような凸形形状部を形成することで、このＩＣタグ装着用キャップを、当該凸形形状部を利用して取り付けることができる。なお、この場合、当該凸形形状部の外形に応じてＩＣタグ装着用キャップ全体の形状が変わる場合がある。また、この場合でも、被着部の凹状部は当該被着部の内面にＩＣタグが嵌合可能な凹部により又はＩＣタグの外周縁を保持可能な枠により構成されることが好ましく、被着部の凹状部の縁部に当該凹状部の内外を連通する溝が形成されることが好ましい。さらに、摩擦係合可能な手段は、少なくとも固定部が凸形形状部に対して摩擦力の大きい材料により形成され、固定部の内側に当該凸形形状部の外周面に接触可能な（複数の）突状部が一体に形成されて構成されることが好ましい。またさらに、上記と同様に、固定部と凸形形状部が係止凸起と係止溝又は係止穴との係合により固定されるようにしてもよいことは勿論である。このようにしても上記実施の形態と同様の作用効果を得ることができる。
【符号の説明】
【００２５】
１  ＩＣタグ装着用キャップ
２  被着部
２０  凹状部
２１  溝
３  固定部
３１  摩擦係合可能な手段
３１１、３１２  突状部
４  グラウトキャップ
４０  雄ネジ
４１  軸
４２  頭部
４３  つまみ部
４３１  先端面
４３２  外周面
５  ＩＣタグ
６  係止凸起
７  係止溝（又は係止穴）
【図１】
2011084885.tif 000003
【図２】
2011084885.tif 000004
【図３】
2011084885.tif 000005
【図４】
2011084885.tif 000006
【図５】
2011084885.tif 000007
【図６】
2011084885.tif 000008
【図７】
2011084885.tif 000009